(57)【要約】【課題】親機への複数の子機の登録を簡単に行うことができる通信システムおよび通信装置を提供する。【解決手段】通信システム１は、コントローラ（親機、通信装置）２と、各々がコントローラ２と通信する複数の端末（子機）３とを備える。複数の端末３の各々は、二桁以上の固有番号を記憶する端末側記憶部３２と、端末側記憶部３２に記憶されている固有番号をコントローラ２に送信する端末側通信部（送信部）３３とを含む。コントローラ２は、通信によって端末３から固有番号を取得する取得部２４と、固有番号のうち予め決められた少なくとも一桁以上の所定の桁の数字の入力を受け付ける入力部２５と、取得部２４で取得された固有番号の所定の桁の数字と、入力部２５に入力された数字とが一致した場合に、端末３を登録する登録部２６とを含む。【選択図】図１
2014049953.tif 000002
【特許請求の範囲】
【請求項１】
親機と、
各々が前記親機と通信する複数の子機とを備え、
前記複数の子機の各々は、
二桁以上の固有番号を記憶する記憶部と、
前記記憶部に記憶されている前記固有番号を前記親機に送信する送信部とを含み、
前記親機は、
前記子機から通信によって前記固有番号を取得する取得部と、
前記固有番号のうち予め決められた少なくとも一桁以上の所定の桁の数字の入力を受け付ける入力部と、
前記取得部で取得された前記固有番号の前記所定の桁の数字と、前記入力部に入力された数字とが一致した場合に、前記子機を登録する登録部とを含む
ことを特徴とする通信システム。
【請求項２】
前記所定の桁は、下一桁であることを特徴とする請求項１記載の通信システム。
【請求項３】
各々が二桁以上の固有番号を記憶する複数の子機と通信する通信装置であって、
前記子機から通信によって前記固有番号を取得する取得部と、
前記固有番号のうち予め決められた少なくとも一桁以上の所定の桁の数字の入力を受け付ける入力部と、
前記取得部で取得された前記固有番号の前記所定の桁の数字と、前記入力部に入力された数字とが一致した場合に、前記子機を登録する登録部と
を備えることを特徴とする通信装置。
【発明の詳細な説明】
【技術分野】
【０００１】
本発明は、親機と複数の子機との間で通信を行う通信システム、および、複数の子機と通信を行う通信装置に関する。
【背景技術】
【０００２】
親機と子機との間で通信を行う従来の通信システムとして、特許文献１には、親機に割り当てられた識別コードを子機に登録するシステムが開示されている。
【０００３】
特許文献１に記載されたシステムは、子機のダイヤルキーから親機の識別コードの一部の桁が入力されると、この入力データと、親機のメモリに書き込まれている識別コードの対応する桁とを比較する。そして、この比較の結果、上記入力データと、上記識別コードの対応する桁とが一致すると、特許文献１に記載されたシステムは、親機の識別コードを子機に登録する。
【０００４】
特許文献１に記載されたシステムでは、子機がハンドセットであるため、複数の子機に識別コードを登録する場合、ユーザは、全ての子機を親機の近くに持ってきて、各子機から識別コードの一部の桁を入力すればよかった。
【０００５】
また、親機と子機との間で通信を行う従来の通信システムとして、子機が住戸の所定位置に設置された機器などであって、この子機を親機が管理するシステムが知られている。このシステムは、親機が子機を管理するにあたって、最初に子機を親機に登録する必要がある。
【先行技術文献】
【特許文献】
【０００６】
【特許文献１】特開平３−２５０８２３号公報
【発明の概要】
【発明が解決しようとする課題】
【０００７】
ところで、住戸に設置された子機を親機が管理する従来のシステムにおいて、集合住宅の住戸で親機に子機を登録する場合、隣家で同時に子機の登録を実施すると、隣家の子機が誤って登録されてしまうという問題があった。特に新築の集合住宅では、複数の住戸において施工業者が住人の入居前に一斉に登録設定を行うため、誤登録の発生がしばしば発生する。入居前に親機に登録される子機としては、例えばＩＨ（Induction Heating）クッキングヒータやヒートポンプ給湯機などがある。
【０００８】
住人が入居してシステムの運用を開始した後は、パーソナルコンピュータやテレビなどの表示端末をＧＵＩ（GraphicUser Interface）として用いて親機がＷｅｂブラウザなどでアクセスし、子機の登録操作を行うことができるが、入居前の初期導入時では、表示端末が存在しないことがほとんどであるため、ＧＵＩを持たない親機で誤登録を低減させることが求められている。
【０００９】
また、複数の子機がそれぞれ異なる場所に設置されている場合、特許文献１に記載されたシステムを適用すると、ユーザは各子機の設置場所から識別コードの一部の桁を入力しなければならない。このため、登録作業が煩雑になり、かつ、作業時間も要するという新たな問題が発生する。
【００１０】
本発明は上記の点に鑑みて為された発明であり、本発明の目的は、親機への複数の子機の登録を簡単に行うことができる通信システムおよび通信装置を提供することにある。
【課題を解決するための手段】
【００１１】
本発明の通信システムは、親機と、各々が前記親機と通信する複数の子機とを備え、前記複数の子機の各々は、二桁以上の固有番号を記憶する記憶部と、前記記憶部に記憶されている前記固有番号を前記親機に送信する送信部とを含み、前記親機は、前記子機から通信によって前記固有番号を取得する取得部と、前記固有番号のうち予め決められた少なくとも一桁以上の所定の桁の数字の入力を受け付ける入力部と、前記取得部で取得された前記固有番号の前記所定の桁の数字と、前記入力部に入力された数字とが一致した場合に、前記子機を登録する登録部とを含むことを特徴とする。
【００１２】
この通信システムにおいて、前記所定の桁は、下一桁であることが好ましい。
【００１３】
本発明の通信装置は、各々が二桁以上の固有番号を記憶する複数の子機と通信する通信装置であって、前記子機から通信によって前記固有番号を取得する取得部と、前記固有番号のうち予め決められた少なくとも一桁以上の所定の桁の数字の入力を受け付ける入力部と、前記取得部で取得された前記固有番号の前記所定の桁の数字と、前記入力部に入力された数字とが一致した場合に、前記子機を登録する登録部とを備えることを特徴とする。
【発明の効果】
【００１４】
本発明では、親機において、登録予定の子機から通信によって取得した固有番号の所定の桁の数字と、この子機の固有番号の所定の桁の数字として入力部に入力された数字とが一致した場合に、この子機を登録することができる。これにより、親機への複数の子機の登録を簡単に行うことができ、かつ、親機での子機の誤登録を低減させることができる。
【図面の簡単な説明】
【００１５】
【図１】実施形態１に係る通信システムの構成を示すブロック図である。
【図２】実施形態１に係る通信システムにおいてコントローラに端末を登録する場合の動作の説明図である。
【図３】実施形態１に係る通信システムの登録ネゴシエーション処理の説明図である。
【図４】実施形態２に係る通信システムにおいてコントローラに端末を登録する場合の動作の説明図である。
【発明を実施するための形態】
【００１６】
（実施形態１）
実施形態１に係る通信システム１は、図１に示すように、コントローラ（親機、通信装置）２と、各々がコントローラ２と通信する複数の端末（子機）３とを備えている。
【００１７】
以下では、通信システム１が一般的な戸建住宅に用いられる場合を例として説明するが、通信システム１は、戸建住宅に限らず、例えば集合住宅の個々の住戸、施設、工場、事務所、店舗などに用いられてもよい。
【００１８】
また、本実施形態では、通信システム１をＨＥＭＳ（Home Energy Management System）ネットワークに適用している。すなわち、コントローラ２は、住戸内の複数の端末３を管理するＨＥＭＳ機器となる。なお、通信システム１の用途は、ＨＥＭＳネットワークに限定されず、他の用途であってもよい。
【００１９】
さらに、コントローラ２および各端末３は、例えばＥＣＨＯＮＥＴ（Energy Conservation& Homecare Network）規格またはＥＣＨＯＮＥＴ  Ｌｉｔｅ規格に沿った仕様となっている。
【００２０】
続いて、各端末３の構成について説明する。端末３は、動作部３１と、端末側記憶部３２と、端末側通信部（送信部）３３と、操作部３４と、端末側報知部３５と、端末側制御部３６とを備えている。端末側制御部３６は、端末３の各部を制御する。端末３は、例えば家電機器や設備機器など、電力を消費して動作する負荷機器である。家電機器としては、テレビやオーディオ機器、冷蔵庫などがある。設備機器としては、ＩＨ（Induction Heating）クッキングヒータやヒートポンプ給湯機、空調機器（空調設備）、照明機器（照明設備）などがある。
【００２１】
動作部３１は、電力が供給されると、所定の動作を行う。例えば端末３がテレビである場合、動作部３１は画面に番組を表示する。また、端末３が空調機器である場合、動作部３１は室温が設定温度になるように動作する。
【００２２】
端末側記憶部３２は、端末３すなわち自機のハード情報を記憶している。ハード情報は、例えば自機の固有番号（識別番号）や自機の型番などである。固有番号は、端末３ごとに個別に割り当てられた情報であって二桁以上のシリアル番号である。端末側記憶部３２は、例えば「１２３４５」のような五桁の固有番号を記憶している。なお、端末側記憶部３２は、必要に応じてハード情報以外の情報も記憶している。
【００２３】
端末側通信部３３は、コントローラ２と通信する。この端末側通信部３３は、後述の登録ネゴシエーション処理において、端末３をコントローラ２に接続させるためのアソシエーション要求（登録要求）の信号を送信する。また、登録ネゴシエーション処理において、端末側通信部３３は、端末側記憶部３２に記憶されているハード情報をコントローラ２に送信する。さらに、端末側通信部３３は、コントローラ２との間で必要に応じて種々の情報や要求を送信したり、受信したりする。
【００２４】
操作部３４は、後述の登録ネゴシエーション処理を行うときに操作される登録送信ボタン３４１を備えている。この登録送信ボタン３４１をユーザが操作すると、端末側通信部３３は、登録ネゴシエーション処理の最初の動作であるアソシエーション要求を行う。なお、登録送信ボタン３４１は、登録ネゴシエーション処理が完了した後、後述の端末側報知部３５のＬＥＤ３５１を消灯させるために押されることがある。
【００２５】
端末側報知部３５は、ＬＥＤ（Light Emitting Diode）３５１を含んでいる。このＬＥＤ３５１は、登録ネゴシエーション処理の実行のために登録送信ボタン３４１が押された後、登録ネゴシエーション処理が完了するまで点滅（例えば長点滅）を継続する。登録ネゴシエーション処理が完了すると、ＬＥＤ３５１は、登録送信ボタン３４１が押されるまで点灯する。登録送信ボタン３４１が押されると、ＬＥＤ３５１は消灯する。なお、登録送信ボタン３４１が押されなくても、登録ネゴシエーション処理が完了してから所定時間（例えば５分間）が経過すると、ＬＥＤ３５１は消灯する。
【００２６】
続いて、コントローラ２の構成について説明する。コントローラ２は、ＣＰＵ（Central Processing Unit）およびメモリが搭載されたコンピュータ（マイクロコンピュータを含む）を主構成要素とする装置である。このコントローラ２は、第１通信部２１と、第２通信部２２と、モード設定部２３と、取得部２４と、入力部２５と、登録部２６と、コントローラ側記憶部２７と、コントローラ側報知部２８と、コントローラ側制御部２９とを備えている。コントローラ側制御部２９は、コントローラ２の各部を制御する。なお、コントローラ２には、端末３を登録するための処理を行っているときに端末３の固有番号などを表示できるような表示部が存在しない。
【００２７】
第１通信部２１は、各端末３と通信する。コントローラ２（第１通信部２１）と端末３（端末側通信部３３）との通信としては、信号線を用いた有線通信、電波を用いた無線通信などがある。また、無線通信としては、例えば９２０ＭＨｚ帯特定小電力無線や無線ＬＡＮ（Local Area Network）などがある。図１は、無線通信の場合を示している。
【００２８】
第２通信部２２は、電力メータ４と通信する。コントローラ２（第２通信部２２）と電力メータ４との通信としては、例えば電力線を用いた電力線通信、電力線とは別の信号線を用いた有線通信、電波を用いた無線通信などがある。また、無線通信としては、例えば９２０ＭＨｚ帯特定小電力無線や無線ＬＡＮなどがある。図１は、電力線５を用いた電力線通信の場合を示している。
【００２９】
電力メータ４は、通信機能を有する電子式電力メータいわゆるスマートメータである。この電力メータ４は、電力会社（供給会社・資源供給事業者）が電力料金を徴収するために需要家（住戸）に設置されており、電力会社から供給される電力の需要家での総電力使用量を計測し、この総電力使用量を含む検針情報を電力会社側に送信する。図示しないが、電力メータ４は、電力使用量を計測する計測ユニットと、他の機器（コントローラ２を含む）と通信する通信ユニットとを備えている。
【００３０】
モード設定部２３は、コントローラ２のモードとして、所定の通常動作を行う通常動作モードと、端末３を登録する登録モードとを選択的に設定する。コントローラ２のモードが通常動作モードである場合、コントローラ２は、登録済の端末３の動作を制御したり、登録済の端末３の電力使用量を監視したりする。一方、コントローラ２のモードが登録モードである場合、コントローラ２は、未登録の端末３を登録するための動作を行う。
【００３１】
取得部２４は、コントローラ２のモードが登録モードである場合に、端末３から固有番号を取得する。すなわち、取得部２４は、第１通信部２１で受信されたハード情報から固有番号を取得する。
【００３２】
入力部２５は、端末３を登録する場合に用いられる登録／確認ボタン２５１と、端末３の登録をキャンセルする場合に用いられるキャンセルボタン２５２とを備えている。この入力部２５は、コントローラ２のモードが登録モードである場合に、固有番号の所定の桁の数字の入力を受け付ける。所定の桁は、少なくとも一桁以上であり、予め決められている。本実施形態では、所定の桁は、下一桁（一の位）である。すなわち、固有番号が「１２３４５」の五桁の数字である場合、所定の桁の数字は、下一桁の「５」である。固有番号の下一桁の数字が「ｎ」（ｎ＝０〜９）である場合、ユーザが所定時間内に登録／確認ボタン２５１をｎ回押すことによって、入力部２５には、固有番号の下一桁の数字「ｎ」が入力される。
【００３３】
登録部２６は、登録予定の端末３について、取得部２４で取得された固有番号の所定の桁の数字と、入力部２５に入力された数字とが一致した場合に、上記端末３を登録する。一方、取得部２４で取得された固有番号の所定の桁の数字と、入力部２５に入力された数字とが異なる場合、登録部２６は、第１通信部２１を用いて、登録予定の端末３に対して、この端末３の登録を拒否する旨の拒否応答を行う。すなわち、登録部２６は、固有番号が入力部２５への入力数字と一致した端末３だけを登録する。例えば入力部２５に入力された数字が「５」である場合、端末３からの固有番号の下一桁が「５」であれば、登録部２６は端末３を登録する。一方、端末３からの固有番号の下一桁が「５」以外である場合、登録部２６は端末３に対して拒否応答を行う。
【００３４】
ところで、端末３の登録後にユーザがキャンセルボタン２５２を押すと、登録部２６は、端末３の登録をキャンセルし、この端末３に関する登録端末情報を消去する処理を行う。登録部２６は、登録のキャンセルを端末３ごとに個別に行うことができる。
【００３５】
コントローラ側記憶部２７は、登録部２６で登録された端末３の登録端末情報を記憶している。なお、コントローラ側記憶部２７は、必要に応じて登録端末情報以外の他の情報も記憶している。
【００３６】
コントローラ側報知部２８は、ＬＥＤ２８１を含んでいる。このＬＥＤ２８１は、登録ネゴシエーション処理の実行のために登録／確認ボタン２５１が押された後、登録ネゴシエーション処理が完了するまで点滅（例えば長点滅）を継続する。登録ネゴシエーション処理が完了すると、ＬＥＤ２８１は、登録／確認ボタン２５１が押されるまで点灯する。登録／確認ボタン２５１が押されると、ＬＥＤ２８１は消灯する。なお、登録／確認ボタン２５１が押されなくても、登録ネゴシエーション処理が完了してから所定時間（例えば５分間）が経過すると、ＬＥＤ２８１は消灯する。
【００３７】
次に、本実施形態に係る通信システム１においてコントローラ２に端末３を登録する場合の動作について図２を用いて説明する。
【００３８】
まず、ユーザがコントローラ２の登録／確認ボタン２５１を１回押すことによって、コントローラ２のモード設定部２３はコントローラ２のモードを登録モードに設定する（Ｓ１）。コントローラ２のモードが登録モードになると、登録ネゴシエーション処理が完了するまでコントローラ側報知部２８のＬＥＤ２８１が点滅する（Ｓ２）。
【００３９】
その後、ユーザが所定時間内に登録／確認ボタン２５１をｎ回押すことによって、登録予定の端末３の固有番号の下一桁の数字「ｎ」がコントローラ２に入力される（Ｓ３）。固有番号の下一桁が「５」である場合、ユーザが登録／確認ボタン２５１を５回押すことによって、数字「５」がコントローラ２に入力される。
【００４０】
その後、ユーザが登録予定の端末３の登録送信ボタン３４１を１回押すことによって（Ｓ４）、コントローラ２および端末３は登録ネゴシエーション処理を開始する（Ｓ５）。登録ネゴシエーション処理が開始すると、登録ネゴシエーション処理が完了するまで端末側報知部３５のＬＥＤ３５１が点滅する（Ｓ６）。
【００４１】
その後、登録ネゴシエーション処理が完了すると、コントローラ側報知部２８のＬＥＤ２８１および端末側報知部３５のＬＥＤ３５１は５分間点灯する（Ｓ７，Ｓ８）。ＬＥＤ３５１が点灯中すなわちＬＥＤ３５１が点灯を開始してから５分以内に、ユーザが登録送信ボタン３４１を１回押すと、ＬＥＤ３５１は消灯する（Ｓ９）。また、ＬＥＤ２８１が点灯中すなわちＬＥＤ２８１が点灯を開始してから５分以内に、ユーザが登録／確認ボタン２５１を１回押すと、ＬＥＤ２８１は消灯する（Ｓ１０）。
【００４２】
なお、ＬＥＤ３５１が点灯中にユーザが登録送信ボタン３４１を押さなくても、ＬＥＤ３５１が点灯を開始してから５分後に、ＬＥＤ３５１は自動的に消灯する。また、ＬＥＤ２８１が点灯中にユーザが登録／確認ボタン２５１を押さなくても、ＬＥＤ２８１が点灯を開始してから５分後に、ＬＥＤ２８１は自動的に消灯する。
【００４３】
次に、ステップＳ５の登録ネゴシエーション処理の詳細について図３を用いて説明する。なお、図３の破線は、ＡＣＫ（Acknowledgement、肯定応答）を示す。
【００４４】
最初に、ＭＡＣレイヤの設定について説明する。まず、端末３がコントローラ２に対してアソシエーション要求を行う（Ｓ２１）。コントローラ２は端末３にＡＣＫを返す。その後、端末３はコントローラ２に対してデータ要求を行う（Ｓ２２）。コントローラ２は端末３にＡＣＫを返す。その後、コントローラ２は端末３に対してアソシエーション応答（許可）を行う（Ｓ２３）。端末３はコントローラ２にＡＣＫを返す。上述したＭＡＣレイヤの設定により、コントローラ２側では、端末３のＭＡＣアドレスとショートアドレスとが登録端末情報としてコントローラ側記憶部２７に格納される。一方、端末３側では、通信チャネルとＰＡＮ＿ＩＤ（Personal Area Network Identification）とショートアドレスとが設定されて端末側記憶部３２に格納される。
【００４５】
続いて、セキュリティの設定について説明する。まず、端末３がコントローラ２に対して認証要求を行う（Ｓ２４）。コントローラ２は端末３にＡＣＫを返す。その後、コントローラ２は端末３にセッション鍵（家鍵）を配布する（Ｓ２５）。端末３はコントローラ２にＡＣＫを返す。上述したセキュリティの設定により、端末３は、セッション鍵を取得することができる。
【００４６】
続いて、アプリケーションレイヤの設定について説明する。まず、端末３はブロードキャストでインスタンスリストを通知する（Ｓ２６）。その後、コントローラ２が端末３に対してハード情報取得要求を行う（Ｓ２７）。端末３はコントローラ２にＡＣＫを返す。その後、端末３はコントローラ２に対してハード情報取得応答を行う（Ｓ２８）。コントローラ２は端末３にＡＣＫを返す。上述したアプリケーションレイヤの設定により、コントローラ２側では、ＥＣＨＯＮＥＴオブジェクト（ＥＯＪ）とハード情報とが登録端末情報としてコントローラ側記憶部２７に格納される。
【００４７】
その後、コントローラ２の登録部２６は、ステップＳ５において登録予定の端末３から送信された固有番号の下一桁の数字と、ステップＳ３において入力部２５に入力された数字とが一致した場合、端末３を登録する（Ｓ２９）。
【００４８】
以上説明した本実施形態の通信システム１では、コントローラ（親機）２において、登録予定の端末（子機）３から通信によって取得した固有番号の所定の桁の数字と、この端末３の固有番号の所定の桁の数字として入力部２５に入力された数字とが一致した場合に、この端末３を登録することができる。これにより、コントローラ２への複数の端末３の登録を簡単に行うことができ、かつ、コントローラ２での端末３の誤登録を低減させることができる。
【００４９】
また、本実施形態の通信システム１では、固有番号の下一桁という簡単な比較によって、コントローラ２での端末３の誤登録を低減することができる。例えば、固有番号の下一桁に「０」〜「９」が取り得る場合、入力された数字が「５」とすると、下一桁が「０」〜「４」，「６」〜「９」の固有番号の端末３は登録されないので、コントローラ２での端末３の誤登録を１０分の１にすることができる。
【００５０】
（実施形態２）
実施形態２に係る通信システム１は、コントローラ２が端末３から固有番号を取得した後に所定の桁の数字の入力を受け付ける点で、実施形態１に係る通信システム１と相違する。なお、実施形態１の通信システム１と同様の構成要素については、同一の符号を付して説明を省略する。
【００５１】
本実施形態の入力部２５は、ユーザによって登録予定の端末３の登録送信ボタン３４１が押され、端末３からコントローラ２に固有番号（ハード情報）が送信された後、この端末３の固有番号の所定の桁の数字の入力を受け付ける。なお、実施形態１の入力部２５と同様の機能については説明を省略する。
【００５２】
本実施形態の登録部２６は、入力部２５に数字が入力された後、入力部２５に入力された数字と、固有番号の所定の桁の数字とが一致した場合、端末３を登録する。なお、実施形態１の登録部２６と同様の機能については説明を省略する。
【００５３】
次に、本実施形態に係る通信システム１においてコントローラ２に端末３を登録する場合の動作について図４を用いて説明する。
【００５４】
まず、ユーザがコントローラ２の登録／確認ボタン２５１を１回押すことによって、コントローラ２のモード設定部２３はコントローラ２のモードを登録モードに設定する（Ｓ４１）。コントローラ２のモードが登録モードになると、登録ネゴシエーション処理が完了するまでコントローラ側報知部２８のＬＥＤ２８１が点滅する（Ｓ４２）。
【００５５】
その後、ユーザが登録予定の端末３の登録送信ボタン３４１を１回押すことによって（Ｓ４３）、コントローラ２および端末３は登録ネゴシエーション処理を開始する（Ｓ４４）。登録ネゴシエーション処理が開始すると、登録ネゴシエーション処理が完了するまで端末側報知部３５のＬＥＤ３５１が点滅する（Ｓ４５）。
【００５６】
その後、登録ネゴシエーション処理が完了した後、ユーザが所定時間内に登録／確認ボタン２５１をｎ回押すことによって、登録予定の端末３の固有番号の下一桁の数字「ｎ」がコントローラ２に入力される（Ｓ４６）。端末３の固有番号の下一桁が「５」である場合、ユーザは登録／確認ボタン２５１を５回押すことによって、数字「５」がコントローラ２に入力される。
【００５７】
その後、コントローラ２の登録部２６は、ステップＳ４４において登録予定の端末３から送信された固有番号の下一桁の数字と、ステップＳ４６において入力部２５に入力された数字とが一致した場合、端末３を登録する（Ｓ４７）。
【００５８】
登録ネゴシエーション処理が完了してから５分間、コントローラ側報知部２８のＬＥＤ２８１および端末側報知部３５のＬＥＤ３５１は５分間点灯する（Ｓ４８，Ｓ４９）。ＬＥＤ３５１が点灯中すなわちＬＥＤ３５１が点灯を開始してから５分以内に、ユーザが登録送信ボタン３４１を１回押すと、ＬＥＤ３５１は消灯する（Ｓ５０）。また、ＬＥＤ２８１が点灯中すなわちＬＥＤ２８１が点灯を開始してから５分以内に、ユーザが登録／確認ボタン２５１を１回押すと、ＬＥＤ２８１は消灯する（Ｓ５１）。
【００５９】
なお、ＬＥＤ３５１が点灯中にユーザが登録送信ボタン３４１を押さなくても、ＬＥＤ３５１が点灯を開始してから５分後に、ＬＥＤ３５１は自動的に消灯する。また、ＬＥＤ２８１が点灯中にユーザが登録／確認ボタン２５１を押さなくても、ＬＥＤ２８１が点灯を開始してから５分後に、ＬＥＤ２８１は自動的に消灯する。
【００６０】
ステップＳ４４の登録ネゴシエーション処理は、登録ネゴシエーション処理中に端末３の登録を行わない点以外、実施形態１のステップＳ５の登録ネゴシエーション処理（図３参照）と同様である。
【００６１】
以上説明した本実施形態の通信システム１においても、実施形態１と同様に、コントローラ（親機）２において、登録予定の端末（子機）３から通信によって取得した固有番号の所定の桁の数字と、この端末３の固有番号の所定の桁の数字として入力部２５に入力された数字とが一致した場合に、この端末３を登録することができる。これにより、コントローラ２への複数の端末３の登録を簡単に行うことができ、かつ、コントローラ２での端末３の誤登録を低減させることができる。
【００６２】
なお、各実施形態において、所定の桁は下一桁に限定されず、他の桁であってもよいし、二桁以上であってもよい。
【００６３】
また、所定の桁は固有番号の全ての桁であってもよい。この場合、コントローラ２への端末３の登録には、端末３からの固有番号と入力部２５への入力数字との間で完全一致が求められる。
【符号の説明】
【００６４】
１  通信システム
２  コントローラ（親機、通信装置）
２４  取得部
２５  入力部
２６  登録部
３  端末（子機）
３２  端末側記憶部
３３  端末側通信部（送信部）
【図１】
2014049953.tif 000003
【図２】
2014049953.tif 000004
【図３】
2014049953.tif 000005
【図４】
2014049953.tif 000006